(57)【特許請求の範囲】
【請求項１】
読み取る原稿を載置する原稿台と、
前記原稿台に載置された原稿を読み取るイメージセンサと、
前記原稿台への原稿の置き忘れを検知する置き忘れ検知部と、
前記イメージセンサの読み取りに基づき、置き忘れ原稿の画像データから、キーワードを抽出する処理を行う抽出部と、
キーワードの入力を受け付ける入力部と、
前記置き忘れ検知部が原稿の置き忘れを検知したとき、置き忘れ原稿に触れられないようにするロックを行い、前記抽出部が抽出したキーワードと一致するキーワードが前記入力部に入力されたとき、前記ロックを解除するロック部と、を含むことを特徴とする画像読取装置。
【請求項２】
前記置き忘れ検知部が原稿の置き忘れを検知したとき、置き忘れ原稿を収容するボックスと、置き忘れ原稿を前記ボックスまで搬送する搬送部を含み、
前記ロック部は、前記ボックスの開閉について前記ロックを行うことを特徴とする請求項１記載の画像読取装置。
【請求項３】
前記抽出部は、出現頻度が所定の頻度よりも大きい文字を、前記キーワードとして抽出することを特徴とする請求項１又は２に記載の画像読取装置。
【請求項４】
前記抽出部は、サイズが予め定められたサイズよりも大きい文字を前記キーワードとして抽出することを特徴とする請求項１乃至３のいずれか１項に記載の画像読取装置。
【請求項５】
前記抽出部は、黒色以外の文字を前記キーワードとして抽出することを特徴とする請求項１乃至４のいずれか１項に記載の画像読取装置。
【請求項６】
前記入力部は、前記ロック部のロック解除を行うのに必要な前記キーワードの個数、及び／又は、前記キーワードの抽出における条件について、設定入力を受け付けることを特徴とする請求項１乃至５のいずれか１項に記載の画像読取装置。
【請求項７】
前記抽出部が抽出したキーワードと一致するキーワードが前記入力部に入力されると、置き忘れ原稿の画像データを表示する表示部を有し、
前記入力部は、前記表示部に表示された画像データが、置き忘れ原稿であるか否かの確認入力を受け付け、
前記入力部が置き忘れ原稿である旨の前記確認入力を受け付けたとき、前記ロック部は、ロックを解除することを特徴とする請求項１乃至６のいずれか１項に記載の画像読取装置。
【請求項８】
前記置き忘れ検知部は、前記原稿台での原稿の存在を検知するセンサを含み、原稿の読み取り終了から、予め定められた待ち時間を経過しても、前記原稿台に原稿がのせられたままのとき、原稿の置き忘れと検知することを特徴とする請求項１乃至７のいずれか１項に記載の画像読取装置。
【請求項９】
請求項１乃至８のいずれか１項に記載の画像読取装置を含むことを特徴とする画像形成装置。
【発明の詳細な説明】
【技術分野】
【０００１】
本発明は、原稿を読み取って画像データを生成する画像読取装置、及び、この画像読取装置を備えた画像形成装置に関する。
【背景技術】
【０００２】
例えば、複合機、複写機、ＦＡＸ装置等の画像形成装置は、画像読取装置を搭載し、原稿を読み取り、読み取りで得た画像データに基づき、コピーや画像データの送信を行う。そして、コンタクトガラスに原稿を置き、カバーや原稿搬送装置を降ろし、読み取りを行うことがある。ここで、原稿が置き忘れられることがある。原稿の置き忘れは、原稿搬送でのジャムや、原稿のシワや、原稿の除去による時間のロスを引き起こす場合がある。そこで、原稿の置き忘れを検知する画像形成装置の一例が特許文献１に記載されている。
【０００３】
具体的に、特許文献１には、原稿自動送給装置を装備し、原稿自動送給装置を使用して原稿をフィード（送り出す）前に、コンタクトガラス上に原稿の置き忘れが有るか否かを検知する置き忘れ原稿検知手段を設け、置き忘れ原稿があると、原稿自動送給装置を駆動して、コンタクトガラス上の原稿を排出する画像形成装置が記載されている。この構成により、原稿の損傷や操作時間の無駄を無くそうとする（特許文献１：特許請求の範囲、目的の欄等参照）。
【先行技術文献】
【特許文献】
【０００４】
【特許文献１】特開昭６４−０６１７４０号公報
【発明の概要】
【発明が解決しようとする課題】
【０００５】
原稿が置き忘れられたとき、特許文献１記載の発明のように、確かに、原稿の損傷や操作時間の無駄を無くすようにすることも大事ではある。しかし、情報は漏れると、元の状態には戻せない。例えば、同じ会社でも部署が異なれば、閲覧権限のない書類が存在し得る。又、書類の第三者による持ち去りも防ぐべきである。従って、個人情報や機密情報の漏洩を防ぐため、置き忘れ原稿の他人による閲覧や、紛失、持ち去り、盗難を防ぐ必要がある。
【０００６】
特許文献１記載の発明をみると、置き忘れ原稿は、原稿自動送給装置の原稿搬送経路から単に排出されるだけである。そのため、置き忘れ原稿の他人による閲覧や、紛失、持ち去り、盗難を防げないという問題がある。
【０００７】
更に、特許文献１記載の発明において、置き忘れ原稿を保管する構成を追加することも考えられる。ここで、誰にも見られることなく、置き忘れ原稿は本来の持ち主に返すことが、情報の漏洩の防止の観点から望ましい。そのため、置き忘れ原稿を保管部分からは、原稿を置き忘れた当人のみが、置き忘れ原稿を取り出せるようにすべきである。言い換えると、置き忘れ原稿を保管する構成を追加するだけでは、置き忘れ原稿の紛失、盗難を十分に防げないという問題がある。
【０００８】
本発明は、上記従来技術の問題点に鑑み、置き忘れ原稿の盗難、持ち去り、紛失と、情報の漏洩を確実に防ぎ、置き忘れ原稿が、本来の持ち主の手元に確実に返るようにすることを課題とする。
【課題を解決するための手段】
【０００９】
上記目的を達成するために、本発明の画像読取装置、画像形成装置は、読み取る原稿を載置する原稿台と、前記原稿台に載置された原稿を読み取るイメージセンサと、前記原稿台への原稿の置き忘れを検知する置き忘れ検知部と、前記イメージセンサの読み取りに基づき、置き忘れ原稿の画像データから、キーワードを抽出する処理を行う抽出部と、キーワードの入力を受け付ける入力部と、前記置き忘れ検知部が原稿の置き忘れを検知したとき、置き忘れ原稿に触れられないようにするロックを行い、前記抽出部が抽出したキーワードと一致するキーワードが前記入力部に入力されたとき、前記ロックを解除するロック部と、を含む。
【００１０】
この構成によれば、ロック部は、抽出部が抽出したキーワードと一致するキーワードが入力部に入力されたとき、ロックを解除する。まず、ロック部により、置き忘れ原稿の盗難、持ち去り、紛失や、情報の漏洩が、確実に防がれる。又、置き忘れ原稿の持ち主のみが知る情報がキーワードとされるので、置き忘れ原稿の本来の持ち主のみが、ロックを解除できる。従って、置き忘れ原稿は、本来の持ち主の手元に確実に返ることになる。
【発明の効果】
【００１１】
本発明によれば、置き忘れ原稿の盗難、持ち去り、紛失や、情報の漏洩を、確実に防ぎ得る画像読取装置、画像形成装置を提供することができる。又、置き忘れ原稿が本来の持ち主の手元に確実に返る画像読取装置、画像形成装置を提供することができる。
【図面の簡単な説明】
【００１２】
【図１】実施形態に係る複合機の概略構成を示す正面視模型的断面図である。
【図２】実施形態に係る原稿搬送部、画像読取部の一例を示す模型的断面図である。
【図３】実施形態に係る複合機の構成の一例を示すブロック図である。
【図４】実施形態に係る画像読取部分の構成の一例を示すブロック図である。
【図５】実施形態でのロックを解除するためのキーワード入力画面の一例を示す説明図である。
【図６】実施形態に係るソフトウェアキーボード画面の一例を示す説明図である。
【図７】実施形態に係るキーワード抽出設定画面の一例を示す説明図である。
【図８】置き忘れ原稿でのキーワードの抽出例を説明するための画像データの一例を示す説明図である。
【図９】実施形態に係る複合機での置き忘れ原稿の制御の流れの一例を示すフローチャートである。
【図１０】実施形態に係る置き忘れ原稿の画像データ表示画面の一例を示す説明図である。
【発明を実施するための形態】
【００１３】
以下、本発明の実施形態を図１〜図１０を用いて説明する。但し、本実施の形態に記載されている構成、配置等の各要素は、発明の範囲を限定するものではなく単なる説明例にすぎない。
【００１４】
尚、本発明の説明では、画像読取装置でもあり、画像形成装置でもある複合機１００を例に挙げて説明する。本実施形態の複合機１００は、画像読取装置を含む画像形成装置とも言える。
【００１５】
（複合機１００の概略）
そこで、図１を用いて、本発明に係る電子写真方式の複合機１００の概略を説明する。図１は、本発明の実施形態に係る複合機１００の概略構成を示す正面視模型的断面図である。
【００１６】
図１に示すように、本実施形態に係る複合機１００は、原稿に光を照射し、反射光に基づきイメージセンサ１６により画像データを生成する画像読取部１と、画像読取部１の上方に設けられ、画像読取部１に対し上下方向に開閉し、搬送読取用コンタクトガラス１１に向けて原稿を搬送する原稿搬送部２を含む。
【００１７】
又、図１に破線で示すように、画像読取部１の正面側に操作パネル３（入力部に相当）が設けられる。操作パネル３は、複合機１００の機能（コピーやスキャン）の設定用キーを表示する液晶表示部３１を有する。液晶表示部３１の表面には、タッチパネル３２（入力部に相当）が設けられ、設定キーの押下等、使用者の入力を受け付ける。又、液晶表示部３１は、ジャムや用紙切れ等のエラー等の複合機１００の状態を表示できる。又、操作パネル３にコピー部数等の数字入力を行うためのテンキー部３４や、コピー実行を指示するためのスタートキー３３等が配される。
【００１８】
又、図１に示すように、複合機１００本体には、画像読取部１、原稿搬送部２、操作パネル３の他、給紙部４、搬送路５、画像形成部６、定着部６Ｂ等が設けられる。
【００１９】
給紙部４は、複数の用紙（例えば、コピー用紙、普通紙、再生紙、厚紙、ＯＨＰシート等の各種シート）を収容し、１枚ずつ搬送路５に送り込む。給紙部４は、収納用紙が載置されるカセット４１を含む（図１で上方のものに４１Ａ、下方のものに４１Ｂの符号を付す）。又、給紙部４には、回転駆動してカセット４１から搬送路５に送り出す給紙ローラ４２が設けられる（図１で上方のものに４２Ａ、下方のものに４２Ｂの符号を付す）。例えば、印刷時には、給紙ローラ４２が回転駆動し、印刷に要する用紙が１枚ずつ搬送路５に送り出される。
【００２０】
搬送路５は、給紙部４から供給された用紙を搬送する通路である。用紙搬送経路上には画像形成部６、定着部６Ｂ等が配される。そして、搬送路５には、用紙の案内のためのガイドや、用紙搬送の際に回転駆動する搬送ローラ対５１、５２や、搬送されてくる用紙を画像形成部６の手前で待機させ、トナー像形成のタイミングを合わせて用紙を送り出すレジストローラ対５３等が設けられる。
【００２１】
画像形成部６は、画像データに基づきトナー像を形成し、搬送される用紙にトナー像を転写する。そのため、画像形成部６は、図１中に示す矢印方向に回転駆動可能に支持された感光体ドラム６１、及び、感光体ドラム６１の周囲に配設された帯電装置６２、露光装置６３、現像装置６４、転写ローラ６５等を備える。
【００２２】
トナー像形成及び転写プロセスを説明する。像担持体としての感光体ドラム６１は、画像形成部６の略中心に設けられる。感光体ドラム６１は、所定方向に回転駆動する。図１に示すように、帯電装置６２、露光装置６３、現像装置６４、転写ローラ６５などが、感光体ドラム６１の周囲に設けられる。
【００２３】
帯電装置６２は、感光体ドラム６１を所定電位に帯電させる。露光装置６３は、画像データに基づき、レーザ光をから出力し、感光体ドラム６１表面を走査露光する。画像データに応じた静電潜像が感光体ドラム６１に形成される。尚、画像読取部１で得られた画像データや、外部のコンピュータや相手方ＦＡＸ装置から受信した画像データ等が用いられる。そして、現像装置６４は、静電潜像にトナーを供給して現像する。転写ローラ６５は、感光体ドラム６１に圧接し、ニップが形成される。そして、トナー像にあわせタイミングを図られ、用紙はニップに進入する。用紙進入時、転写ローラ６５には所定の電圧が印加され、用紙に感光体ドラム６１上のトナー像が転写される。
【００２４】
定着部６Ｂは、用紙に転写されたトナー像を定着させる。本実施形態における定着部６Ｂは、主としてヒータ６６を内蔵する加熱ローラ６７と加圧ローラ６８で構成される。加熱ローラ６７と加圧ローラ６８は圧接しニップを形成する。そして、用紙のニップ通過により、トナーが加熱され、溶融し、トナー像が用紙に定着する。トナー定着後の用紙は、搬送ローラ対５１により、排出トレイ５４に排出される。
【００２５】
（スキャナ部分の構成）
次に、図２を用いて、本発明の実施形態に係る画像読取部１、原稿搬送部２の詳細を説明する。図２は、本発明の実施形態に係る画像読取部１、原稿搬送部２の一例を示す拡大模型的断面図である。尚、図２では、便宜上、操作パネル３の図示を省略する。
【００２６】
本実施形態の複合機１００は、原稿読取ための主要構成として、原稿搬送部２と画像読取部１を含む。
【００２７】
原稿搬送部２は、複合機１００の最上位に設けられる。そして、原稿搬送部２は、搬送読取用コンタクトガラス１１（読み取り位置）に向け、原稿を１枚ずつ、自動的、連続的に搬送する。原稿搬送部２は、原稿搬送方向上流側から順に、原稿トレイ２１、原稿給紙ローラ２２、原稿搬送路２３、複数の原稿搬送ローラ対２４、原稿排出ローラ対２５、原稿排出トレイ２６等を含む。又、原稿搬送部２は、図１、図２の紙面奥側を支点として画像読取部１に対し、上下方向に開閉自在に取り付けられ、各コンタクトガラスを上方から押さえる押さえ板として機能する。
【００２８】
次に、本実施形態における画像読取部１を説明する。画像読取部１は、搬送される原稿を読み取るための搬送読取用コンタクトガラス１１と、載置された原稿を読み取るための載置読取用コンタクトガラス１２（原稿台に相当）を上面に有する。
【００２９】
又、図２に示すように、画像読取部１の筐体内に、第１移動枠１３１、第２移動枠１３２、ワイヤ１３３、巻取ドラム１３４、レンズ１４、原稿に光を照射するランプ１５、原稿で反射された光が入射され、１ライン毎に原稿を読み取り、画像データを生成するイメージセンサ１６等の光学系部材が配される。イメージセンサ１６は、例えば、ライン状に光電変換素子を並べたＣＣＤ（Charge Coupled Device）で構成され、原稿の反射光に基づき、主走査方向で１ライン毎に原稿を読み取る。主走査方向（原稿搬送方向と垂直な方向）にライン単位で読取が行われ、ライン単位の読取を副走査方向（原稿搬送方向）に連続して繰り返し行って、１枚の原稿が読み取られる。
【００３０】
ランプ１５から発せられた光は、搬送読取用コンタクトガラス１１上の原稿に当たり、反射光を第１ミラー１７１（第１移動枠１３１）、第２ミラー１７２（第２移動枠１３２）、第３ミラー１７３（第２移動枠１３２）といった光学系部材で反射させて、レンズ１４に導く。レンズ１４は反射光を集光し、イメージセンサ１６に入射する。
【００３１】
第１移動枠１３１及び第２移動枠１３２には複数本のワイヤ１３３が取り付けられる（図２では、便宜上１本のみ図示）。ワイヤ１３３の他端は巻取ドラム１３４に接続され、巻取モータ１３Ｍ（図４参照）を駆動源として、巻取ドラム１３４が正逆回転し、第１移動枠１３１と第２移動枠１３２は水平方向に自在に移動する。
【００３２】
原稿搬送部２により搬送される原稿の読取の場合、巻取モータが駆動した後、第１移動枠１３１と第２移動枠１３２は、搬送読取用コンタクトガラス１１の下方位置（読み取り位置）に固定される。そして、通過する原稿に対し、ランプ１５は光を照射する。一方、載置読取用コンタクトガラス１２上に載置された原稿を読み取る場合、第１移動枠１３１及び第２移動枠１３２を、巻取ドラム１３４やワイヤ１３３等により、ホームポジションから図２の右方向に水平に移動させ、走査動作を、順次原稿端部まで連続的に行う。
【００３３】
そして、これらの光学系部材を用い、載置され、あるいは、搬送される原稿に光を照射し、その原稿の反射光を受けたイメージセンサ１６の各画素の出力値をＡ／Ｄ変換し、画像データが生成される。複合機１００は、読み取りにより得られた画像データに基づき印刷を行うことができる（コピー機能）。
【００３４】
（複合機１００のハードウェア構成）
次に、図３に基づき本発明の実施形態に係る複合機１００のハードウェア構成の一例を説明する。図３は、本発明の実施形態に係る複合機１００の構成の一例を示すブロック図である。
【００３５】
まず、複合機１００には、複合機１００の全体制御を行う制御部７が設けられる。ＣＰＵ７１が中央演算処理装置として、制御部７に設けられる。又、ＲＡＭ（Random Access Memory）やＲＯＭ（Read Only Memory）やＨＤＤ（Hard disk drive）やフラッシュＲＯＭ等の不揮発性と揮発性のメモリからなる記憶部７２が、制御部７内（制御部７外でもよい）に設けられる。
【００３６】
記憶部７２は、複合機１００を制御するためのプログラム、データ等を記憶する。制御部７は、記憶部７２のプログラムやデータを利用して、各部を制御し、印刷を行わせる。尚、制御部７は、全体制御や通信制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部をまとめた形態を示し、説明する。
【００３７】
又、制御部７には、画像読取部１内に設けられる第１画像処理部９（詳細は後述）が処理した画像データに基づき、画像処理を行う第２画像処理部７３が設けられる。例えば、第２画像処理部７３は、ＡＳＩＣやメモリ等で構成される。第２画像処理部７３は、濃度変換処理や、拡大縮小処理や、回転処理や、画像データの圧縮、伸張処理などの各種画像処理を行えるが、公知の画像処理を行えるものとして説明を割愛する。
【００３８】
そして、制御部７は、操作パネル３、給紙部４、搬送路５、画像形成部６、定着部６Ｂ等と接続される。制御部７は、用紙搬送やトナー像形成等、各部の動作制御を行う。又、操作パネル３での設定やコピー実行指示は、制御部７に伝達される。制御部７は、原稿搬送部２や、画像読取部１とも通信可能に接続され、コピー実行時等、動作指示を与える。そして、制御部７はコピー時、原稿の画像データを受け取り、画像データに基づき、印刷を行わせる（コピー）。
【００３９】
（スキャナ部分のハードウェア構成）
次に、図４に基づき、本発明の実施形態に係るスキャナ部分のハードウェア構成の一例を説明する。図４は、本発明の実施形態に係るスキャナ部分の構成の一例を示すブロック図である。
【００４０】
上述したように、本実施形態の複合機１００は、画像読取装置でもあるし、画像形成装置でもある。そして、複合機１００の構成のうち、原稿搬送部２と画像読取部１は、複合機１００を画像読取装置として用いるとき、動作する（必須である）。又、本実施形態では、操作パネル３を用いて画像読取に関する設定入力が行われる。そのため、操作パネル３も、複合機１００を画像読取装置として用いるとき、必要となる。又、制御部７は、画像読取装置の制御部として動作するし、画像形成装置の制御部としても動作する。
【００４１】
そのため、図４に示すように、本実施形態の複合機１００のうち、原稿搬送部２、画像読取部１、操作パネル３、制御部７が画像読取装置として用いるうえで必要な構成といえる。言い換えると、本発明の画像読取装置は、原稿搬送部２、画像読取部１、操作パネル３、制御部７などで構成できる。
【００４２】
そして、原稿搬送制御部２０が、原稿搬送部２の動作の制御を行う部分として、原稿搬送部２内に設けられる。一方、画像読取部１には、画像読取部１の動作の制御を行う読取制御部１０が設けられる。尚、本説明では、原稿搬送制御部２０と、読取制御部１０を設ける例を説明するが、２つを統合した１つの制御部が設けられてもよい。又、原稿搬送制御部２０と、読取制御部１０を設けず、画像読取部１と原稿搬送部２の制御を制御部７が直接的に行うようにしてもよい。
【００４３】
まず、原稿搬送制御部２０を説明する。原稿搬送制御部２０は、制御部７や読取制御部１０と接続され、指示、信号を受け原稿搬送部２の動作制御を行う。原稿搬送制御部２０は、例えば、制御用のＣＰＵ、チップや、原稿搬送部２の制御用のプログラムやデータを記憶するＲＯＭ、ＲＡＭ等を含む基板である。
【００４４】
原稿搬送制御部２０は、制御部７等との通信を行い、制御部７等の指示を受け、原稿搬送部２の動作制御を行う。例えば、制御部７から原稿の読取指示があった場合、原稿搬送モータ２７を駆動させ、原稿給紙ローラ２２や原稿搬送ローラ対２４等を回転させる。
【００４５】
次に、画像読取部１と読取制御部１０の構成の一例を説明する。読取制御部１０は、上述の制御部７や原稿搬送制御部２０と通信可能に接続される。そして、読取制御部１０は、制御部７などから、指示、信号を受け、画像読取部１の動作制御を行う。例えば、読取制御部１０も、制御用のＣＰＵ、チップや、画像読取部１の制御に必要なプログラム、データを記憶するＲＯＭ、ＲＡＭ等を含む基板である。
【００４６】
そして、例えば、操作パネル３のスタートキー３３が押されたときなど、読取制御部１０は、制御部７の指示を受け、各種光学系部材の動作制御や、読取で得られた画像データの制御部７への送信制御を行う。
【００４７】
例えば、読取制御部１０は、巻取モータ１３Ｍと接続され、巻取モータ１３Ｍの回転を制御し、巻取ドラム１３４を回転させ、各移動枠を移動させる。又、読取制御部１０は、ランプ１５やイメージセンサ１６やＡ／Ｄ変換部１６ａと接続され、これらの部分の動作を制御する。
【００４８】
ランプ１５は、蛍光管や白色ＬＥＤなどであり、主走査方向で原稿に光を照射する。読取制御部１０は、原稿読取のとき、ランプ１５を点灯させる。イメージセンサ１６は、原稿に照射された光を受け、各画素についてＲ、Ｇ、Ｂの３種のアナログの電気信号を出力する。電気信号の大きさは、受光量に応じ異なる。Ａ／Ｄ変換部１６ａは、イメージセンサ１６によって得られた各画素のアナログの電気信号の転送を受け、量子化を行い、ディジタル信号に変換する。例えば、Ａ／Ｄ変換部１６ａは、Ｒ、Ｇ、Ｂについてそれぞれ８ビット（計２４ビット）に量子化を行う。
【００４９】
図４に示すように、例えば、ディジタルの画像データは、Ａ／Ｄ変換部１６ａから第１画像処理部９に出力される。第１画像処理部９は、Ａ／Ｄ変換部１６ａが出力した画像データを受け、画像処理を施す。
【００５０】
尚、本実施形態では、第１画像処理部９を画像読取部１に、第２画像処理部７３を制御部７に設ける例を説明する。しかし、例えば、２つの画像処理部の機能を統合した画像処理部を本体側に一つだけ設け、１つだけ設けた画像処理部で、本説明での第１画像処理部９の処理と第２画像処理部７３の処理を行わせるようにしてもよい。言い換えると、設ける画像処理部を１つとしてもよい。
【００５１】
第１画像処理部９内には、ワークメモリ９１、文字認識部９２、抽出部９３、補正処理部９４などが設けられる。ワークメモリ９１は、画像データの処理のための作業領域であり、Ａ／Ｄ変換部１６ａからの画像データは、ワークメモリ９１に蓄えられる。文字認識部９２は、原稿の画像データをＯＣＲ（光学文字認識、Optical Character Recognition）技術により、画像データに含まれるテキスト、文字を認識する処理を行う。抽出部９３は、テキスト化された画像データから、予め定められた条件に従って、キーワードを抽出する処理を行う。補正処理部９４は、画像データに対し、ガンマ補正やシェーディング補正等、ランプ１５やイメージセンサ１６等の特性に由来する歪みを補正する。
【００５２】
尚、文字認識部９２、抽出部９３、補正処理部９４は、ハードウェア（回路）として、設けられてもよいし、画像読取部１内のメモリ、プログラム、ＡＳＩＣ等の処理回路を用い、機能的に実現されてもよい。又、第１画像処理部９が補正処理などを行ったコピーや送信用の画像データは、画像メモリ９５に蓄えられた後、制御部７に転送される。更に、第２画像処理部７３による画像処理後、例えば、画像データは、露光装置６３に与えられる。
【００５３】
尚、画像読取部１内の設定メモリ９６は、画像読取部１の動作に関するプログラムやデータ等の設定を記憶するメモリである。例えば、本発明に関し、設定メモリ９６は、キーワード抽出での予め定められた条件や、各種設定、データを記憶する。
【００５４】
（置き忘れ原稿の検知とロック）
次に、図２、図４を用いて、本発明の実施形態に係る置き忘れ原稿の検知とロックの一例を説明する。
【００５５】
原稿トレイ２１に原稿を置いてのコピー、スキャンでは、原稿トレイ２１に置いた原稿の読取過程は見えているので、原稿の置き忘れは、少ない。一方、載置読取用コンタクトガラス１２に原稿を置き、コピーやスキャンを行うとき、原稿搬送部２は、上面から原稿を抑え、原稿は見えなくなる。そのため、載置読取用コンタクトガラス１２への原稿の置き忘れが生じやすい。特に、使用者が急いでいるときや、ジョブが完了するまで、一度、複合機１００から離れたときなどに、置き忘れが生ずる。
【００５６】
置き忘れ原稿には、個人情報や、秘密にすべき情報が含まれることがあり、置き忘れ原稿の紛失、持ち去りを防ぐ必要がある。又、原稿が載置読取用コンタクトガラス１２にセットされたまま、原稿トレイ２１に原稿がセットされ、スタートキー３３が押されると、載置読取用コンタクトガラス１２の読み取りか、搬送読取用コンタクトガラス１１の読み取りか、いずれを優先するか判断しなくてはならない。
【００５７】
そこで、本実施形態の複合機１００は、載置読取用コンタクトガラス１２に原稿の置き忘れを検知する。そして、置き忘れ原稿を検知すると、置き忘れ原稿を搬送して、管理用のボックス８に送り込む。
【００５８】
原稿の置き忘れを検知するため、置き忘れ検知部が画像読取部１内に設けられる。例えば、置き忘れ検知部は、原稿検知センサ１８と読取制御部１０で構成される。原稿検知センサ１８は、載置読取用コンタクトガラス１２に原稿が置かれているか否かを検知するセンサである。例えば、原稿検知センサ１８は、反射型の光センサである。尚、図２に示すように、副走査方向に複数個、原稿検知センサ１８を設け、各原稿検知センサ１８の出力を確認することで、載置読取用コンタクトガラス１２上の副走査方向での原稿のおおよそのサイズを検知することもできる。
【００５９】
図４に示すように、各原稿検知センサ１８の出力は、画像読取部１の読取制御部１０に入力される。これにより、読取制御部１０は、載置読取用コンタクトガラス１２に原稿が存在するか否かを検知、認識できる。尚、読取制御部１０は、ランプ１５を点灯させ、イメージセンサ１６により原稿の一部を読み取り、原稿の有無を検知することもできる。
【００６０】
例えば、読取制御部１０は、直前の原稿読取完了から、所定時間が経過したことを計時する。所定時間経過したとき、読取制御部１０は、原稿検知センサ１８を用い、載置読取用コンタクトガラス１２に原稿が存在するか否かを確認する。このとき、載置読取用コンタクトガラス１２に原稿が存在すれば、読取制御部１０は、原稿の置き忘れ発生と判断する。このように、原稿検知センサ１８や読取制御部１０を、原稿の置き忘れを検知する置き忘れ検知部として機能させることができる。
【００６１】
原稿置き忘れを検知すると、読取制御部１０は、画像読取部１の右側面に設けられるボックス８に、置き忘れ原稿を送り込むべき旨の指示を原稿搬送制御部２０に伝える。原稿搬送部２の下面には、２本の搬送用ローラ８１Ａ、８１Ｂと、搬送用ローラ８１Ａ、８１Ｂに掛け渡された搬送ベルト８２と、搬送用ローラ８１Ａ、８１Ｂのうち、少なくとも、いずれか一方を回転させる搬送用モータ８３を含む搬送部８４が設けられる（図２、図４参照）。
【００６２】
搬送ベルト８２は、例えば、白色である。原稿搬送部２は、原稿を上面から押さえている。そのため、搬送ベルト８２が回転すると、載置読取用コンタクトガラス１２上の原稿は、回転に引きずられて、複合機１００の右側方向に搬送される（送られる）。尚、原稿をスムーズに搬送するための装置、部材が用いられてもよい。例えば、搬送ベルト８２に若干の粘着性を持たせてもよいし、搬送ベルト８２の表面を若干荒らしてもよいし、原稿を吸引する吸引装置を設けてもよい。
【００６３】
図２に示すように、置き忘れ原稿は、画像読取装置の右側面方向に搬送され、搬送先には、置き忘れ原稿を、回収し、管理するボックス８が設けられる。置き忘れ原稿の受け入れのため、ボックス８の正面視左側面部分であり、置き忘れ原稿の搬送経路上に開口部８５を有する。開口部８５から置き忘れ原稿がボックス８内に入り込む。
【００６４】
置き忘れ原稿が、置き忘れた本人以外の者の手に渡ることを防ぐため、ボックス８は、ロック部８６を含む。ロック部８６は、施錠機構である。ロック部８６は、例えば、ボックス８の上蓋部分８７を空かないようにロックし、ボックス８の開口部８５を閉じる。従って、読取制御部１０や原稿搬送制御部２０は、搬送部８４を動作させた後、ロック部８６を動作させる。
【００６５】
（ロックの解除）
次に、図５、図６を用いて、本発明の実施形態に係るロック部８６のロック解除の一例を説明する。図５は、本発明の実施形態でのロックを解除するためのキーワード入力画面Ｓ１の一例を示す説明図である。図６は、本発明の実施形態に係るソフトウェアキーボード画面Ｓ２の一例を示す説明図である。
【００６６】
ロック部８６のロック（施錠）を解除し、ボックス８を開け、置き忘れ原稿を回収するには、キーワードの入力が求められる。キーワードは、原稿を置き忘れた本人を認証するためのものであり、操作パネル３に入力される。キーワードは、第１画像処理部９の文字認識部９２による置き忘れ原稿の画像データの文字認識結果と、予め定められた条件に基づく抽出部９３によるキーワードの抽出に基づき定まる。
【００６７】
尚、置き忘れ原稿の画像データは、載置読取用コンタクトガラス１２上の原稿の読み取りに伴い、読取完了から所定時間が経過するまで、記憶部７２等の記憶素子が保持していてもよいし、置き忘れ原稿を搬送部８４が搬送する前に、読取制御部１０が、イメージセンサ１６等を制御して、もう一度、置き忘れ原稿を読み取ることで、置き忘れ原稿の画像データが得られてもよい。
【００６８】
そして、例えば、キーワードの入力は、例えば、操作パネル３の液晶表示部３１、タッチパネル３２に対し行う。例えば、原稿を置き忘れた使用者は、操作パネル３に対し入力を行い、図５に示すようなキーワード入力画面Ｓ１を表示させることができる。
【００６９】
キーワード入力画面Ｓ１には、入力が必要なキーワードの個数に合わせ、キーワードキーＫ１〜Ｋ３が設けられる。図５は、３つのキーワードの入力が求められる例を示している。そして、キーワードキーＫ１〜Ｋ３を押すと、例えば、図６に示すようなソフトウェアキーボード画面Ｓ２が表示される。ソフトウェアキーボード画面Ｓ２では、アルファベット、かな、漢字などによる文字や記号による入力を行うことができる。
【００７０】
ソフトウェアキーボード画面Ｓ２での入力結果は、キーワード入力画面Ｓ１で、各キーワードキーＫ１〜Ｋ３の側方に配されるキーワード表示欄Ｌ１〜Ｌ３に表示される。そして、キーワード入力画面Ｓ１には、ＯＫキーＫ４が設けられる。キーワード入力後にＯＫキーＫ４が押されると、操作パネル３に対するキーワードの入力結果が、制御部７や、読取制御部１０に伝えられる。
【００７１】
そして、読取制御部１０（制御部７でもよい）は、操作パネル３に入力されたキーワードと、置き忘れ原稿から抽出されたキーワードを照らし合わせる。そして、キーワードが一致すれば、その旨が、読取制御部１０やロック部８６に伝えられ、ロック部８６が動作し、ロックを解除する。これにより、ボックス８内の置き忘れ原稿を取り出せるようになる。
【００７２】
（キーワード抽出に関する設定）
次に、図７、図８を用いて、本発明の実施形態に係るキーワード抽出に関する設定の一例を説明する。図７は、本発明の実施形態に係るキーワード抽出設定画面Ｓ３の一例を示す説明図である。図８は、置き忘れ原稿でのキーワードの抽出例を説明するための画像データの一例を示す説明図である。
【００７３】
ロック部８６のロックを解除する上で、入力すべきキーワードの数（例えば、１つ）や、文字認識された画像データからのキーワードの抽出条件は、複合機１００の製造者により固定的に定められたものでもよい。例えば、抽出部９３は、出現頻度が多いものから文字列（例えば、２文字や３文字以上）を順番に、予め定められた個数だけキーワードを抽出してもよい。
【００７４】
しかし、複合機１００の使用者、管理者により、使用の実情に合わせ、キーワード抽出での条件などを設定できれば、複合機１００の使いやすさが向上する。そこで、本実施形態の複合機１００では、キーワードの抽出について、設定することができる。
【００７５】
複合機１００の管理者や使用者は、操作パネル３を操作し、例えば、システムメニューの一種として、キーワード抽出設定画面Ｓ３を表示させることができる。このキーワード抽出設定画面Ｓ３では、どのようなキーワードを抽出するか、抽出条件を定めることができる。
【００７６】
尚、前提条件として、抽出部９３は、複数の文字の組み合わせをキーワードとして抽出する。言い換えると、仮名の１文字（例えば、「は」）や、アルファベット１文字のように、１文字単位では、キーワードを抽出しない（例えば、３文字以上）。
【００７７】
キーワード抽出設定画面Ｓ３では、置き忘れ原稿中での出現頻度に基づき、キーワードを抽出することを定めることができる。出現頻度に基づき、キーワードを抽出するとき、例えば、チェックボックスＣ１にチェックを入れる。これにより、抽出部９３は、置き忘れ原稿のうち、出現回数が多い、１又は、複数種の文字列（文字の組み合わせ）をキーワードとして抽出する。又、出現回数設定欄Ｌ４に、回数をテンキー部３４により入力し、入力した回数を超える文字列（文字の組み合わせ）がキーワードとして抽出ようにすることもできる。即ち、抽出部９３は、出現頻度が所定の頻度（出現回数設定欄Ｌ４で設定されてもよいし、予めメーカーが定めた固定値でもよい）よりも大きい文字を、キーワードとして抽出する。尚、出現回数設定欄Ｌ４に入力される回数を小さくすれば、抽出されるキーワードを増やすことができる。
【００７８】
例えば、図８に示すように、置き忘れ原稿で、「当社新製品」（図８の例では、計５回）という文字列や、「今年度」（図８の例では、計７回）という文字列が含まれるとする。このような置き忘れ原稿の場合、出現頻度に基づき、キーワードを抽出するとき、「当社新製品」や「今年度」といった文字列がキーワードとして抽出される。尚、抽出されるキーワードは、漢字、かな、に限らず、アルファベットや、文字と記号が組み合わされたものでもよい。
【００７９】
又、キーワード抽出設定画面Ｓ３では、置き忘れ原稿中における文字サイズに基づき、キーワードを抽出することを定めることができる。文字サイズに基づき、キーワードを抽出するとき、例えば、チェックボックスＣ２にチェックを入れる。一般に、文章、書類において、強調したい部分や、見出し部分は、文字サイズが大きくなる。そこで、文字サイズ設定欄Ｌ５に、抽出する文字列のサイズをテンキー部３４により入力する。これにより、入力により定められたサイズを超える文字列（文字の組み合わせ）がキーワードとして抽出される。即ち、抽出部９３は、サイズが予め定められたサイズよりも大きい文字をキーワードとして抽出する。尚、図７の例では、「ポイント」という複合機１００独自の文字サイズの単位を用いているが、「ｍｍ」や「インチ」など、長さの単位により、文字サイズを設定できるようにしてもよい。
【００８０】
例えば、図８に示すように、置き忘れ原稿では、「実績報告書」という文字列が、他の文字部分よりも文字サイズが大きい態様で用いられているとする。このような置き忘れ原稿のとき、文字サイズに基づくキーワードを抽出すると、「実績報告書」といった文字列がキーワードとして抽出される。
【００８１】
又、キーワード抽出設定画面Ｓ３では、置き忘れ原稿中の文字の色に基づき、キーワードを抽出することを定めることができる。文字色に基づき、キーワードを抽出するとき、例えば、チェックボックスＣ３にチェックを入れる。一般に、文章、書類において、強調部分は、文字色が変更されることがある。チェックボックスＣ３にチェックを入れることで、例えば、文字色が、黒色以外の文字列（文字の組み合わせ）がキーワードとして抽出される。即ち、抽出部９３は、黒色以外の文字をキーワードとして抽出する。
【００８２】
例えば、図８に示すように、置き忘れ原稿内に、「前年比１５０％増」という文字列が他の文字部分と異なる色（例えば、赤色）で記されているとする。このような置き忘れ原稿の場合、文字色に基づき、キーワードを抽出するとき、「前年比１５０％増」といった文字列がキーワードとして抽出される。
【００８３】
置き忘れ原稿内に、いかなる文字が（キーワードが）含まれるかは、原稿を置き忘れた本人のみが知る事項である。しかも、キーワードを無作為ではなく、条件付けて抽出することにより、原稿を置き忘れた本人にとって、キーワードを想起しやすくなる。尚、チェックを入れるボックスが多いほど、抽出部９３が抽出するキーワードの数は、多くなりやすい。
【００８４】
又、図７に示すように、キーワード抽出設定画面Ｓ３では、例えば、ロックを解除するうえで入力すべきキーワードの個数を設定できるようにしてもよい。そこで、キーワード個数設定欄Ｌ６に、テンキー部３４により入力すべきキーワードの個数を入力する。入力すべきキーワードの個数を増やせば、ロック解除の難易度は高くなる。少なければ、ロック解除の難易度は低くなる。尚、抽出されるキーワードの個数は、入力すべきキーワードの個数よりも多くてもよい。又、抽出されたキーワードの個数が、入力すべきキーワードの個数よりも少ない場合、抽出されたキーワードの個数分のキーワードの入力が求められるようにしてもよい。
【００８５】
キーワード抽出設定画面Ｓ３でＯＫキーＫ５が押されると、操作パネル３から、読取制御部１０に向けて、キーワード抽出設定画面Ｓ３での設定内容が送信される。そして、画像読取部１内のいずれかのメモリ（例えば、設定メモリ９６）に設定内容が記憶（保存）される。そして、置き忘れ原稿のロック部８６の解除を行うとき、設定内容に基づいてキーワードの抽出が行われる。
【００８６】
即ち、入力部（操作パネル３、タッチパネル３２等）は、ロック部８６のロック解除を行うのに必要なキーワードの個数、及び／又は、キーワードの抽出における条件について、設定入力を受け付ける。
【００８７】
（置き忘れ原稿に関する処理の制御の流れ）
次に、図９、図１０を用いて、本発明の実施形態に係る複合機１００の置き忘れ原稿の制御の流れの一例を説明する。図９は、本発明の実施形態に係る複合機１００での置き忘れ原稿の制御の流れの一例を示すフローチャートである。図１０は、本発明の実施形態に係る置き忘れ原稿の画像データ表示画面Ｓ４の一例を示す説明図である。
【００８８】
まず、図９のスタートは、直前にスキャンのジョブが終了してから、他の原稿の読み取りが行われないまま、所定時間が経過した時点である。言い換えると、置き忘れ原稿があるか否かを確認する時点である。
【００８９】
画像読取部１の読取制御部１０は、原稿検知センサ１８の出力を確認し、置き忘れ原稿が有るか否かを確認する（ステップ♯１）。もし、置き忘れ原稿があると検知されたとき（ステップ♯１のＹｅｓ）、画像読取部１は、置き忘れ原稿の読み取りを行い、置き忘れ原稿の画像データを取得する（ステップ♯２）。尚、置き忘れ原稿の有無の検知が終わるまで、直前の載置読取用コンタクトガラス１２に載置された原稿の読み取りで得られた画像データを保持しておき（例えば、記憶部７２に記憶）、読取制御部１０は、画像データを記憶部７２等から受け取るようにしてもよい。
【００９０】
そして、原稿搬送制御部２０は、搬送部８４を動作させ、置き忘れ原稿をボックス８に搬送する（ステップ♯３）。そして、読取制御部１０は、ボックス８のロック部８６を制御して、施錠を行う（ステップ♯４）。
【００９１】
そして、制御部７や読取制御部１０は、操作パネル３に対し、キーワード入力画面Ｓ１の呼出入力がなされたかを確認する（ステップ♯５）。言い換えると、置き忘れ原稿を取り出すために、キーワードの入力を行うための入力がなされたかを確認する。呼出入力の有無の確認は続けられる（ステップ♯５のＮｏ→ステップ♯５のループ）。
【００９２】
キーワード入力画面Ｓ１の呼出入力があると、読取制御部１０は、第１画像処理部９を用いて、置き忘れ原稿の画像データについて、文字認識とキーワードの抽出処理を行わせる（ステップ♯６）。そして、設定メモリ９６の内容に基づき、操作パネル３の液晶表示部３１は、ロック部８６の解除に必要なキーワードの個数分のキーワード入力欄が表示されたキーワード入力画面Ｓ１を表示する（ステップ♯７）。
【００９３】
そして、読取制御部１０は、ロック部８６のロックを解除してよいかを確認する（ステップ♯８）。具体的に、読取制御部１０は、操作パネル３に入力された内容を、操作パネル３（制御部７経由でもよい）から受信し、入力されたキーワードと、画像データから抽出したキーワードが一致するかと言った点や、ロック部８６解除に必要なキーワード入力数の条件を満たしているかを確認する。
【００９４】
もし、ロックの解除条件が満たされていれば（ステップ♯８のＹｅｓ）、制御部７は、操作パネル３に置き忘れ原稿の画像データを表示させる（ステップ♯９）。この画像データの表示を行うことで、置き忘れ原稿が自分のものか、を確認することができる。一方、ロックの解除条件が満たされていなければ（ステップ♯８のＮｏ）、例えば、ステップ♯５に戻り、キーワードの入力のやり直しとなる。
【００９５】
置き忘れ原稿の画像データ表示画面Ｓ４（確認画面）の一例を図１０に示す。この画像データ表示画面Ｓ４には、置き忘れ原稿の画像データの縮小版の表示領域Ｆ１と、置き忘れ原稿に間違いがないときに押されるＯＫキーＫ６と、キーワードは一致したものの、置き忘れ原稿ではないときに押されるキャンセルキーＫ７が表示される。即ち、抽出部９３が抽出したキーワードと一致するキーワードが入力部（操作パネル３、タッチパネル３２等）に入力されたとき、また、必要に応じてキーワードの出現頻度が所定回数以上で、文字サイズが所定サイズ以上で、文字色が黒色以外の文字であるとき、置き忘れ原稿の画像データを表示する表示部（液晶表示部３１）を有し、入力部は、表示部に表示された画像データが、置き忘れ原稿であるか否かの確認入力を受け付け、入力部が置き忘れ原稿である旨の確認入力を受け付けたとき、ロック部８６は、ロックを解除する。
【００９６】
そして、読取制御部１０は、ＯＫキーＫ６が押されたか（置き忘れ原稿に間違いがないか）を確認する（ステップ♯１０）。間違いがないとき（ステップ♯１０のＹｅｓ）、読取制御部１０は、ロック部８６を動作させ、ロックを解除させる（ステップ♯１１）。これにより、本制御は終了する（エンド）。ボックス８内の置き忘れ原稿が自己のものでなければ（ステップ♯１０のＮｏ）、ロックを解除せず、制御を終了する（エンド）。尚、置き忘れ原稿がなかったとき（ステップ♯１のＮｏ）、本制御を行う必要はない（エンドへ）。
【００９７】
即ち、本発明に係る画像読取装置は、読み取る原稿を載置する原稿台（載置読取用コンタクトガラス１２）と、原稿台に載置された原稿を読み取るイメージセンサ１６と、原稿台への原稿の置き忘れを検知する置き忘れ検知部（原稿検知センサ１８等）と、イメージセンサ１６の読み取りに基づき、置き忘れ原稿の画像データから、キーワードを抽出する処理を行う抽出部９３と、キーワードの入力を受け付ける入力部（操作パネル３、タッチパネル３２等）と、置き忘れ検知部が原稿の置き忘れを検知したとき、置き忘れ原稿に触れられないようにするロックを行い、抽出部９３が抽出したキーワードと一致するキーワードが入力部に入力されたとき、ロックを解除するロック部８６と、を含む。具体的に、複合機１００（画像読取装置、画像形成装置）は、置き忘れ検知部が原稿の置き忘れを検知したとき、置き忘れ原稿を収容するボックス８と、置き忘れ原稿をボックス８まで搬送する搬送部８４を含み、ロック部８６は、ボックス８の開閉についてロックを行う。
【００９８】
このようにして、本実施形態の発明によれば、ロック部８６は、抽出部９３が抽出したキーワードと一致するキーワードが、入力部（操作パネル３、タッチパネル３２等）に入力されると、ロックを解除する。まず、ロック部８６により、置き忘れ原稿の盗難、持ち去り、紛失や、情報の漏洩が、確実に防がれる。又、置き忘れ原稿の持ち主のみが知る情報に基づきキーワードとされるので、置き忘れ原稿の本来の持ち主のみが、ロックを解除できる。従って、置き忘れ原稿は、本来の持ち主の手元に確実に返ることになる。
【００９９】
又、搬送部８４は、置き忘れ原稿をボックス８まで搬送し、ロック部８６は、ボックス８の開閉についてロックを行う。これにより、置き忘れ原稿は、原稿の読み取りを行ううえで邪魔にならない。又、自動的に、一定の場所に置き忘れ原稿が搬送され、使用者の手を煩わせることなく、置き忘れ原稿が管理される。又、抽出部９３は、出現頻度が所定の頻度よりも高い文字を、キーワードとして抽出する。これにより、置き忘れ原稿の本来の持ち主は、置き忘れ原稿でよく用いられている文言などを入力すれば、ロック部８６のロックを解除することができる。
【０１００】
又、抽出部９３は、サイズが予め定められたサイズよりも大きい文字をキーワードとして抽出する。これにより、置き忘れ原稿の本来の持ち主は、置き忘れ原稿でサイズの大きな文言などを入力すれば、ロック部８６のロックを解除することができる。又、抽出部９３は、黒色以外の文字をキーワードとして抽出する。これにより、置き忘れ原稿の本来の持ち主は、置き忘れ原稿でサイズでの黒色以外の色文字（例えば、赤、青、緑等）を入力すれば、ロック部８６のロックを解除することができる。
【０１０１】
又、入力部（操作パネル３、タッチパネル３２等）は、ロック部８６のロック解除に関する設定入力を受け付ける。これにより、ロック部８６のロック解除を行うのに必要なキーワードの個数が設定できてもよく、ロック部８６の解除の難易度を調整することができる。又、キーワードの抽出における条件が設定できてもよい。これにより、置き忘れ原稿から抽出されるキーワードの方向性を調整することができる。
【０１０２】
又、入力部（操作パネル３、タッチパネル３２等）が置き忘れ原稿である旨の確認入力を受け付けたとき、ロック部８６は、ロックを解除する。これにより、使用者は、自己の置き忘れ原稿か否かをきちんと確認した上で、ロックを解除することができる。又、この構成によれば、置き忘れ検知部（原稿検知センサ１８等）は、原稿の読み取り終了から、予め定められた待ち時間を経過しても、原稿台（載置読取用コンタクトガラス１２）に原稿がのせられたままのとき、原稿の置き忘れと検知する。予め定められた待ち時間は、画像読取装置の使用に支障をきたさない範囲で、任意に定めることができる（例えば、数秒〜数分）。
【０１０３】
又、本発明の画像形成装置（例えば、複合機１００）では、置き忘れ原稿の盗難、持ち去り、紛失や、情報の漏洩が、確実に防がれる画像形成装置を提供することができる。又、置き忘れ原稿が本来の持ち主の手元に確実に返る画像形成装置を提供することができる。
【０１０４】
次に、他の実施形態を説明する。上述の実施形態では、置き忘れ原稿を格納するボックス８を設ける例を説明した。しかし、ボックス８を設けず、原稿の置き忘れが検知されたとき、ロック部８６は、原稿搬送部２が開かないようにロックするものでもよい。この場合、ボックス８や、ボックス８に置き忘れ原稿を運ぶ搬送部８４は不要となる。
【０１０５】
又、上述の実施形態では、読取制御部１０が、操作パネル３に入力されたキーワードと、抽出されたキーワードを比較し、一致するかを確認し、ロック部８６の解除を制御する例を示した。しかし、例えば、制御部７が、キーワードの比較やロック部８６の解除の指示を行ってもよい。
【０１０６】
又、上述の実施形態では、第１画像処理部９が、置き忘れ原稿の文字認識や、キーワードの抽出を行ったが、複合機１００本体側の制御部７や第２画像処理部７３が、置き忘れ原稿の文字認識や、キーワードの抽出を行ってもよい。この場合、制御部７や第２画像処理部７３が抽出部９３として機能することになる。
【０１０７】
以上、本発明の実施形態を説明したが、本発明の範囲はこれに限定されず、発明の主旨を逸脱しない範囲で種々の変更を加えて実施することができる。
【産業上の利用可能性】
【０１０８】
本発明は、画像読取装置や、これを備えた画像形成装置に利用可能である。
【符号の説明】
【０１０９】
１      画像読取部                １２    載置読取用コンタクトガラス（原稿台）
１６    イメージセンサ            １８    原稿検知センサ（置き忘れ検知部）
２      原稿搬送部                ３      操作パネル（入力部）
３１    液晶表示部（表示部）      ３２    タッチパネル（入力部）
８      ボックス                  ８４    搬送部
８６    ロック部                  ９３    抽出部
１００  複合機（画像読取装置、画像形成装置）
【図１】
0005409578.tif 000002
【図２】
0005409578.tif 000003
【図３】
0005409578.tif 000004
【図４】
0005409578.tif 000005
【図５】
0005409578.tif 000006
【図６】
0005409578.tif 000007
【図７】
0005409578.tif 000008
【図８】
0005409578.tif 000009
【図９】
0005409578.tif 000010
【図１０】
0005409578.tif 000011